(57)【要約】【課題】  容易に導光板等からの可撓性基板の浮き上がりを防止し、より表示品位を向上させることができる電気光学装置及びその電気光学装置を用いた電子機器を提供すること。【解決手段】  張出し部１８に接続されたフレキシブル基板３が、導光板２９の受光面に対面するように光源２８が配置されると共に該導光板２９の光を出射する側と反対側の表面である反射側表面３７に重なるように折り曲げられており、該フレキシブル基板３を介して反射側表面３７と対向して、当該導光板２９に反射シート３３を接着することとした。【選択図】  図２
2006227466.tif 000002
【特許請求の範囲】
【請求項１】
電気光学物質を保持する基板と、
前記基板に照射する光を発する光源と、
前記光源から発した光を前記基板に出射する導光板と、
前記基板に接続され、前記導光板の受光面に対面するように前記光源が配置されると共に前記導光板の光を出射する側と反対側の表面に重なるように折り曲げられた可撓性基板と、
前記可撓性基板を介して前記反対側表面と対向し、前記導光板に接着された光学部材と
を具備することを特徴とする電気光学装置。
【請求項２】
前記可撓性基板は、前記光学部材によって保持されており、前記反対側表面に接着されていないことを特徴とする請求項１に記載の電気光学装置。
【請求項３】
前記可撓性基板は、前記反対側表面に接着部材により接着されていることを特徴とする請求項１に記載の電気光学装置。
【請求項４】
前記可撓性基板は、少なくとも前記基板の表示領域に重なる領域が光を反射する膜が形成されていることを特徴とする請求項１から請求項３のうちいずれか一項に記載の電気光学装置。
【請求項５】
前記接着部材は、前記導光板側が光を反射する色に着色されていることを特徴とする請求項３に記載の電気光学装置。
【請求項６】
前記可撓性基板は、前記基板の表示領域に重なる領域に、略コの字状の切欠き部を有することを特徴とする請求項１から請求項５のうちのいずれか一項に記載の電気光学装置。
【請求項７】
前記光源は、複数有り、
前記可撓性基板は、前記反対側表面に平面的に重なる領域で前記複数の光源に夫々対応するように、櫛歯状の切欠き部を有することを特徴とする請求項１から請求項５のうちいずれか一項に記載の電気光学装置。
【請求項８】
前記光源は、複数有り、
前記可撓性基板は、前記反対側表面に平面的に重なる領域で前記複数の光源の間の部分に対応する櫛歯形状を有し、
前記櫛歯形状の両最外側の二つの歯が、該最外側の二つの歯に挟まれる歯より長いことを特徴とする請求項１から請求項５のうちいずれか一項に記載の電気光学装置。
【請求項９】
前記可撓性基板は、前記基板の表示領域を避けるように前記反対側表面に固定されていることを特徴とする請求項１から請求項８のうちいずれか一項に記載の電気光学装置。
【請求項１０】
少なくとも前記導光板を保持するフレームを更に具備し、
前記光学部材は、前記フレームにも接着されていることを特徴とする請求項１から請求項９のうちいずれか一項に記載の電気光学装置。
【請求項１１】
前記光学部材は反射シートであることを特徴とする請求項１から請求項１０のうちいずれか一項に記載の電気光学装置。
【請求項１２】
請求項１から請求項１１のうちいずれか一項に記載の電気光学装置を備えたことを特徴とする電子機器。
【発明の詳細な説明】
【技術分野】
【０００１】
本発明は、パーソナルコンピュータや携帯電話機等に用いられる電気光学装置及びその電気光学装置を用いた電子機器に関する。
【背景技術】
【０００２】
従来、パーソナルコンピュータや携帯電話機等といった電子機器の表示装置として液晶装置等の電気光学装置が広く用いられているが、パーソナルコンピュータや携帯電話機等はより小型化、軽量化が求められており、狭いスペース内に各装置等を収め電気的に接続するために可撓性を有する例えばフレキシブル基板が用いられている。
【０００３】
ところが、例えば液晶パネルに一方側を接続されたフレキシブル基板を途中で折り曲げてそのフレキシブル基板の他方側を導光板上の反射シートへ接着し、その他方側に実装された光源からの光を当該導光板に入射させようとすると、そのフレキシブル基板の元に戻ろうとする力により反射シートが捲れて隙間から光が漏れるという問題があり、その問題を解決する方法として、可撓性基板を反射シートに覆われていない導光板の領域に固着することが提案されている（例えば、特許文献１参照。）。
【特許文献１】特開２００４−２５８１８０号公報（段落[０００８]、図２）。
【発明の開示】
【発明が解決しようとする課題】
【０００４】
しかしながら上述の方法により導光板からの捲れによる光漏れを抑制できるようになったが、更なる液晶装置の小型化の要請等から可撓性基板の導光板への接着場所も限られるようになると共に、可撓性基板に余裕を持たせ曲げることが難しくなりその曲げによる反発力も大きくなった。
【０００５】
そのため導光板からの可撓性基板の剥がれには至らなくても、光源が当該可撓性基板に配置されているため、可撓性基板の反発力による導光板表面からの浮き上がりにより、導光板の受光面と光源との位置合わせがずれてしまい正確に導光板に光が入射せず、導光板による液晶パネルへの光の供給が正常にできなくなり、輝度ムラ等が生じるおそれも考えられた。
【０００６】
本発明は、上述の課題に鑑みてなされるもので、容易に導光板等からの可撓性基板の浮き上がりを防止し、より表示品位を向上させることができる電気光学装置及びその電気光学装置を用いた電子機器を提供することを目的とする。
【課題を解決するための手段】
【０００７】
上記目的を達成するために、本発明の主たる観点に係る電気光学装置は、電気光学物質を保持する基板と、前記基板に照射する光を発する光源と、前記光源から発した光を前記基板に出射する導光板と、前記基板に接続され、前記導光板の受光面に対面するように前記光源が配置されると共に前記導光板の光を出射する側と反対側の表面に重なるように折り曲げられた可撓性基板と、前記可撓性基板を介して前記反対側表面と対向し、前記導光板に接着された光学部材とを具備することを特徴とする。
【０００８】
ここで、「光学部材」とは、例えば反射シートや散乱シート等のことである。
【０００９】
本発明は、基板に接続された可撓性基板が、導光板の受光面に対面するように光源が配置されると共に該導光板の光を出射する側と反対側の表面に重なるように折り曲げられており、該可撓性基板を介して該反対側表面と対向し、導光板に光学部材を接着することとしたので、当該光学部材が例えば可撓性基板を上から導光板に押さえ込むことが可能となり、可撓性基板の反発力による導光板表面からの浮き上がりを防止することができる。その結果、導光板の受光面と光源との位置合わせがずれてしまい正確に導光板に光が入射しなくなることもなく、輝度ムラ等の発生を抑えることができる。
【００１０】
本発明の一の形態によれば、前記可撓性基板は、前記光学部材によって保持されており、前記反対側表面に接着されていないことを特徴とする。これにより、可撓性基板に接着性を持たせずに済み、例えば光学部材を導光板に位置決めして貼着しながら、当該可撓性基板を差し込むことが可能となり製造工程の削減や製造コストの低減を図ることが可能となる。
【００１１】
本発明の一の形態によれば、前記可撓性基板は、前記反対側表面に接着部材により接着されていることを特徴とする。ここで、「接着部材」とは例えば両面接着テープ等をいう。これにより、可撓性基板自体で曲げにより生じた反発力を抑えることが可能となり、より確実に可撓性基板の導光板からの浮き上がりを防止できる。
【００１２】
本発明の一の形態によれば、前記可撓性基板は、少なくとも前記基板の表示領域に重なる領域が光を反射する膜が形成されていることを特徴とする。ここで「反射する膜」とは例えば白色の着色膜や金属膜等をいう。これにより、例えば反射シートと導光板との間に可撓性基板が挟まれても、可撓性基板は少なくとも基板の表示領域に重なる領域が光を反射できるので、可撓性基板による輝度ムラ等が生じることを防ぐことができる。即ち、可撓性基板や接着部材の光を反射できない領域と表示領域とが重なる領域において、光が反射されないで出射光の光量が当該領域において低下してしまい、そこだけが暗くなってしまうということが生じないので、輝度ムラが生じることを防ぐことが可能となる。
【００１３】
本発明の一の形態によれば、前記接着部材は、前記導光板側が光を反射する色に着色されていることを特徴とする。これにより、例えば反射シートと導光板との間に接着部材が貼着された可撓性基板が挟まれても、当該接着部材の導光板側が光を反射できるので、当該接着部材による反射光ムラが生じることを防ぐことができる。即ち、可撓性基板や接着部材の光を反射できない領域と表示領域とが重なる領域において、光が反射されないで出射光の光量が当該領域において低下してしまい、そこだけが暗くなってしまうということが生じないので、輝度ムラが生じることを防ぐことが可能となる。
【００１４】
本発明の一の形態によれば、前記可撓性基板は、前記基板の表示領域に重なる領域に、略コの字状の切欠き部を有することを特徴とする。これにより、例えば導光板による液晶パネルへの光の供給が少ない該導光板の周囲部分に切欠き部により残った可撓性基板を固定させ、当該切欠き部を通過する光により液晶パネルへの光の入射をムラなくさせることができる。
【００１５】
本発明の一の形態によれば、前記光源は、複数有り、前記可撓性基板は、前記反対側表面に平面的に重なる領域で前記複数の光源に夫々対応するように、櫛歯状の切欠き部を有することを特徴とする。これにより、光が導光板の光源側で十分に広がらない部分を利用して可撓性基板をその導光板に固定することができると共に、該切欠き部の例えば反射シート等により表示品位への影響をより少なくすることができる。
【００１６】
本発明の一の形態によれば、前記光源は、複数有り、前記可撓性基板は、前記反対側表面に平面的に重なる領域で前記複数の光源の間の部分に対応する櫛歯形状を有し、前記櫛歯形状の両最外側の二つの歯が、該最外側の二つの歯に挟まれる歯より長いことを特徴とする。例えば光源同士の間の部分は光が導光板の光源側で十分に広がらない部分であり、その部分に夫々対応する櫛歯形状である歯が設けられている。これにより、例えば光が導光板の光源側で十分に広がらない部分及び導光板による液晶パネルへの光の照射が少ない該導光板の周囲部分を利用して可撓性基板をその導光板に固定することができ、可撓性基板を導光板に固定した際の表示品位への影響をより少なくすることができる。
【００１７】
本発明の一の形態によれば、前記可撓性基板は、前記基板の表示領域を避けるように前記反対側表面に固定されていることを特徴とする。これにより、可撓性基板を導光板に固定した際の表示品位への影響を確実に防ぐことができる。
【００１８】
本発明の一の形態によれば、少なくとも前記導光板を保持するフレームを更に具備し、前記光学部材は、前記フレームにも接着されていることを特徴とする。これにより、光学部材を接着する面積が増加し、可撓性基板の反発力による導光板表面からの浮き上がりを抑える力を増加させることが可能となる。
【００１９】
また、例えば可撓性基板の折曲り部分により近いところでフレームに固定すれば、より確実に可撓性基板の反発力による導光板表面からの浮き上がりを抑えることができる。
【００２０】
本発明の一の形態によれば、前記光学部材は反射シートであることを特徴とする。これにより、例えば導光板の反対側表面側から可撓性基板を押さえることができ、確実に可撓性基板の反発力による浮き上がりを抑えることが可能となる。
【００２１】
また、通常用いられる反射シートを利用できるので製造コストの低減を図ることができる。
【００２２】
本発明の他の観点に係る電子機器は、上述の電気光学装置を備えたこと特徴とする。
【００２３】
本発明は、容易に導光板等からの可撓性基板の浮き上がりを防止し、より表示品位を向上させることができる電気光学装置を備えたので、製造コストの低減と品質の高い電子機器を提供することができる。
【発明を実施するための最良の形態】
【００２４】
以下、本発明に実施形態を図面に基づき説明する。尚、以下実施形態を説明するにあたっては、電気光学装置の一例としてのＴＦＤ（Ｔｈｉｎ  Ｆｉｌｍ  Ｄｉｏｄｅ）を用いたアクティブマトリックス方式の液晶装置、またその液晶装置を用いた電子機器を中心に説明するが、これに限られるものではない。また、以下の図面においては各構成をわかりやすくするために、実際の構造と各構造における縮尺や数等が異なっている。
【００２５】
（第１の実施形態）
【００２６】
図１は本発明の第１の実施形態に係る液晶装置の概略斜視図、図２は図１におけるＡ−Ａ線断面図、図３は液晶装置の概略部分底面図及び図４は液晶装置の概略分解斜視図である。
【００２７】
（液晶装置の構成）
【００２８】
液晶装置１は、例えば図１に示すように液晶パネル２、その液晶パネルに接続された可撓性基板としてのフレキシブル基板３、更に液晶パネル２に光を出射する照明装置４及び当該液晶パネル２と照明装置４とを保持するフレーム５を有する。ここで、液晶装置１にはフレーム５の他にもその他の付帯機構が必要に応じて付設される（図示しない）。
【００２９】
液晶パネル２は、例えば図１及び図２に示すようにシール材６を介して貼り合わされた一対の基板である第１の基板７及び第２の基板８と、両基板の隙間に封入された電気光学物質として例えば、ＴＮ（Ｔｗｉｓｔ  Ｎｅｍａｔｉｃ）型の液晶９とを有する。
【００３０】
ここで、第１の基板７は例えば図２に示すように液晶側にＩＴＯ（Ｉｎｄｉｕｍ  Ｔｉｎ  Ｏｘｉｄｅ）等の透明導電体からなる走査電極１０が形成されており、その走査電極１０の液晶側には例えばポリイミド樹脂等からなる配向膜１１が形成されている。この配向膜１１は、電圧が印加されていないときの液晶９の配向状態を規定するためのラビング処理が施されている。
【００３１】
更に第１の基板７は、例えば図２に示すように液晶側とは反対側に偏光板１２等が設けられている。
【００３２】
一方、第２の基板８は例えば図２に示すように液晶側にマトリックス状に配列する複数の図示しない画素電極１３、各画素電極１３の境界領域において上述した走査電極１０と交差する方向（図１中のＹ軸方向）に帯状に延びる複数の信号電極１４、当該画素電極１３及び信号電極１４に電気的に接続された図示しないＴＦＤ１５が形成され、その液晶側には配向膜１６が形成されている。
【００３３】
更に第２の基板８は、例えば図２に示すように液晶側とは反対側に偏光板１７等が設けられている。
【００３４】
また、第２の基板側の表示面には例えば図２、図３及び図４に示すように内側に略矩形状の液晶の駆動により画像等が表示される表示領域Ｂが形成されている。
【００３５】
尚、第１の基板７及び第２の基板８のいずれか一方の液晶側には図示しないが必要に応じて下地層、反射層、着色層及び光遮蔽層等を形成する。
【００３６】
ここで、第１の基板７及び第２の基板８は例えば図１及び図２に示すようにガラスや合成樹脂といった光透過性材料から形成された板状部材であり、第１の基板７は第２の基板８に対し外側へ突出した張り出し領域（以下「張出し部」という。）１８を有している。
【００３７】
また、走査電極１０は所定の方向（図１及び図２中のＸ軸方向）に延在する帯状に形成され、複数の走査電極１０が相互に並列してストライプ状に構成されている。画素電極１３は、例えばＩＴＯ等の透明導電体により形成されている。
【００３８】
更に張出し部１８は、例えば図１及び図２に示すように走査電極１０及び信号電極１４がシール材６で囲まれる領域（以下「液晶領域」という。）から当該張出し部１８に延びている電極部分である走査電極用配線１９及び信号電極用配線２０、その各電極用配線に例えば液晶駆動用電流を供給する液晶駆動用ＩＣ２１等を有する。
【００３９】
また、張出し部１８はフレキシブル基板３等からの電流を受取る外部用端子２２、その外部からの電流を液晶駆動用ＩＣ２１に供給する図示しない入力用配線等を有する。
【００４０】
液晶駆動用ＩＣ２１は、例えばフレキシブル基板３及び外部用端子２２を介して表示画像等に関わる各種の信号を受信すると、この信号に応じた駆動用信号を生成するものであり、その駆動用信号は走査電極用配線１９及び信号電極用配線２０に供給される。
【００４１】
次に、フレキシブル基板３は例えば図１乃至図４に示すようにベース基材２３の上に配線パターン２４が形成されると共に必要に応じて図示しないコンデンサーやＩＣ等の電子部品が実装されている。ここで、ベース基材２３は可撓性を有するフイルム状の部材であり、配線パターン２４は例えば銅等から形成されている。
【００４２】
また、フレキシブル基板３は液晶パネル側の端に図示しない接続用端子が形成されており、例えば図１及び図２に示すようにやはり図示しないＡＣＦ（Ａｎｉｓｏｔｏｒｏｐｉｃ  ｃｏｎｄｕｃｔｉｖｅ  ｆｉｌｍ）により、液晶パネル２の外部用端子２２に当該接続用端子が電気的に接続するように、第１の基板７の液晶側に一方側としてのパネル側２５が接続されている。
【００４３】
更にフレキシブル基板３は、例えば図１及び図２に示すように第１の基板７に接続されたパネル側２５から反対側の他方側である照明装置側２６に延在する途中で、折り返すように曲げられて、照明装置側２６が第１の基板７の液晶側と反対側に配置された後述する導光板の第１の基板７に光を出射する側と反対側の表面に延在するように形成されている。例えば図３に示すように光源のところから照明装置側２６の端部３５まで、Ｃだけ導光板の内側に重なるように配置されている。
【００４４】
また、フレキシブル基板３は例えば図３に示すように導光板の表面に延在する延在領域Ｄ（図３中の斜線領域）で、そのベース基材２３の導光板側に接着部材としての両面接着テープ２７が貼着されており、当該フレキシブル基板３が導光板に接着固定されている。
【００４５】
ここで、両面接着テープ２７は導光板側が白色に着色されており、フレキシブル基板３が後述する反射シートと導光板との間に図４に示すように挟まれていても、当該白色により光を反射するので、フレキシブル基板３の延在による影響を少なくさせることができる。勿論、光を反射できれば白色に限られるものでなく、例えば金属色であってもよい。
【００４６】
次に、照明装置４は例えば図２、図３及び図４に示すように液晶パネル２に光を供給するバックライトユニットであり、光源２８、導光板２９、２枚のプリズムシート３０，３１、拡散シート３２、反射シート３３及び遮光シート３４等を有する。
【００４７】
光源２８は，例えばＬＥＤ（Ｌｉｇｈｔ  Ｅｍｉｔｔｉｎｇ  Ｄｉｏｄｅ）が用いられ、図２、図３及び図４に示すようにフレキシブル基板３の照明装置側２６の端部３５から少し内側に３つ夫々離間して図３中のＸ軸方向に並設されている。
【００４８】
更に光源２８は、例えば図２に示すように丁度該導光板２９の受光面に光源２８からの光が入射できるように当該導光板２９の受光面に対面するように配置されている。
【００４９】
また、光源２８は例えば図３に示すようにフレキシブル基板３の該光源２８が配置されたところから照明装置側２６の端部３５まで（図３中の斜線領域）を導光板２９に貼着したときに、丁度該導光板２９の受光面に光源２８が対面するようにフレキシブル基板３に配置されている。
【００５０】
導光板２９は、例えば図２及び図４に示すように略矩形状をなし、光源２８から入射された光を拡散シート３２の全体に出射するものであり、光源側端面は該光源２８からの光を受光する受光面３６となっている。
【００５１】
また、導光板２９は第１の基板７に光を出射する側と反対側の表面である反射側表面３７で、その受光面３６の縁から図３中の延在領域Ｄだけ内側にフレキシブル基板３の照明装置側２６が延在しており、両面接着テープ２７により当該導光板２９の表面に接着固定されている。
【００５２】
拡散シート３２は、拡散により均一な光を射出するものであり、プリズムシート３０，３１は拡散シート３２から射出される光の輝度を向上させるものであって、その順に導光板２９の液晶パネル２側の表面に配置されている。
【００５３】
反射シート３３は、例えば拡散反射率の高い顔料、白色等をブレンドしたプラスチックフイルムであり図２、図３及び図４に示すように導光板２９と略同じ大きさとなるように形成されている。
【００５４】
また、反射シート３３は例えば図２、図３及び図４に示すように導光板２９の反射側表面３７に両面接着テープ３８により貼着されており、その両面接着テープ３８と導光板の間には、図３中の延在領域Ｄだけ内側にフレキシブル基板３が反射側表面３７に重なるように、当該フレキシブル基板３が挟み込まれている。
【００５５】
更に反射シート３３は、その横幅Ｅ（図３中のＸ軸方向の幅Ｅ）が例えば図３に示すように当該反射シート３３と導光板２９との間に挟みこまれたフレキシブル基板３の照明装置側２６の横幅Ｆ（図３中のＸ軸方向の幅Ｆ）より少し両側にはみ出るように形成されている。これにより、フレキシブル基板３からはみ出た両側部分で直接導光板２９に貼着されるのでフレキシブル基板３を両側からしっかり導光板２９に押さえつけることができ、フレキシブル基板３の反発力による光源２８の位置ずれをより確実に防ぐことができる。
【００５６】
ここで、両面接着テープ３８は例えば額縁状に形成されており、導光板２９の反射側表面側が白色に着色されている。これにより、反射シート３３の反射効果に影響を極力与えないようにできる。勿論、光を反射できれば白色に限られるものでなく、例えば金属色であってもよい。
【００５７】
遮光シート３４は、例えば図２及び図４に示すように中央部分が少なくとも第２の基板８の表示に関与する領域である表示領域Ｂと一致するように開口部が形成された額縁状に形成されており、液晶パネル側は黒色でプリズムシート側は白色等の光を反射する構成となっている。
【００５８】
次に、フレーム５は例えば図１及び図２に示すように液晶パネル２や導光板等を保持できるように形成されている。また、フレーム５は当該液晶パネル２や導光板等より大きく略枠状に形成されており、丁度その枠の内側開放空間に液晶パネル２や導光板等が収まるようになっている。
【００５９】
（液晶装置の製造方法）
【００６０】
次に、以上のように構成された液晶装置１の製造方法について液晶パネル２にフレキシブル基板３及び照明装置４を組み付ける工程を簡単に説明する。
【００６１】
まず、既知の方法により液晶パネル２を製造する。
【００６２】
次に、フレキシブル基板３のベース基材２３上に例えば図１に示すように所定のパターンで配線パターン２４及びパネル側２５に接続用端子を形成し、更に光源２８を照明装置側２６の端部３５から少し内側に、例えば３つ夫々離間して図３中のＸ軸方向に並んで実装する。また、その他の電子部品も必要に応じてベース基材２３上に実装する。
【００６３】
その後、フレキシブル基板３のパネル側２５に設けられた接続用端子を液晶パネル２の外部用端子２２に電気的に接続するように、当該パネル側２５をＡＣＦを介して液晶パネル２の張出し部１８に接続する。
【００６４】
また、例えば図２及び図４に示すように遮光シート３４をその内側開口部が略第２の基板８の表示領域Ｂに対応するように位置決めし、液晶パネル２の第１の基板７の液晶側と反対側の偏光板１７に配置する。更にその上に図２及び図４に示すように２枚のプリズムシート３０，３１、拡散シート３２及び導光板２９を配置する。
【００６５】
次に、例えばフレキシブル基板３が接続され、その第１の基板側にプリズムシート３０，３１、拡散シート３２及び導光板２９が配置された液晶パネル２をフレーム５に保持させる。そして、一旦フレーム５の外に引き出したフレキシブル基板３の照明装置側２６を当該フレキシブル基板３の途中で折り曲げて、導光板２９の第１の基板７に光を出射する側と反対側である反射側表面３７に重ねるように配置する。
【００６６】
このとき、例えば図２に示すようにフレキシブル基板３の当該延在領域Ｄ（図３中の斜線部分）には、両面接着テープ２７がその白色に着色された面を反射側表面側とするように貼着されており、当該フレキシブル基板３の当該延在領域Ｄが導光板２９の反射側表面３７にしっかりと接着固定されることとなる。
【００６７】
また、フレキシブル基板３の当該延在領域Ｄが導光板２９に接着固定されることによりフレキシブル基板３の照明装置側２６に実装された光源２８は、正確に導光板２９の受光面３６に対面し位置決めされ固定されることとなる。
【００６８】
次に、例えば図３及び図４に示すように接着固定されたフレキシブル基板３の上から丁度、当該フレキシブル基板３の延在領域Ｄを導光板２９の反射側表面３７に挟み、上から当該フレキシブル基板３を押さえつけるように反射シート３３を当該フレキシブル基板３の延在領域Ｄと導光板２９の反射側表面とに接着する。
【００６９】
このとき、反射シート３３の接着に用いられる両面接着テープ３８は白色に着色された面が導光板２９の反射側表面３７に向くように反射シート３３の導光板２９の反射側表面側に貼着されている。
【００７０】
以上で照明装置４がフレーム５内に保持された液晶パネル２に組みつけられることとなり、その他の備品等を取り付けて電気光学装置である液晶装置１が完成する。
【００７１】
以上で液晶装置１の製造方法の説明を終了する。
【００７２】
このように本実施形態によれば、張出し部１８に接続されたフレキシブル基板３が、導光板２９の受光面に対面するように光源２８が配置されると共に該導光板２９の光を出射する側と反対側の表面である反射側表面３７に重なるように折り曲げられており、該フレキシブル基板３を介して反射側表面３７と対向して、当該導光板２９に反射シート３３を接着することとしたので、当該反射シート３３が例えばフレキシブル基板３を上から導光板２９に押さえ込むことが可能となり、フレキシブル基板３の反発力による導光板表面からの浮き上がりを防止することができる。その結果、導光板２９の受光面と光源２８との位置合わせがずれてしまい正確に導光板２９に光が入射しなくなることもなく、輝度ムラ等の発生を抑えることができる。
【００７３】
また、フレキシブル基板３は、反射側表面側に両面接着テープ２７により接着されているので、フレキシブル基板自体で曲げにより生じた反発力を抑えることが可能となり、より確実に当該フレキシブル基板３の導光板２９からの浮き上がりを防止できる。
【００７４】
更に両面接着テープ２７は、導光板側が光を反射する色に着色されているので、例えば反射シート３３と導光板２９との間に該両面接着テープ２７が貼着されたフレキシブル基板３が挟まれても、当該両面接着テープ２７の導光板側が光を反射でき、当該両面接着テープ２７による反射光ムラが生じることを防ぐことができる。即ち、フレキシブル基板３や両面接着テープ２７の光を反射できない領域と表示領域とが重なる領域において、光が反射されないで出射光の光量が当該領域において低下してしまい、そこだけが暗くなってしまうということが生じないので、輝度ムラが生じることを防ぐことが可能となる。
【００７５】
（変形例１）
【００７６】
次に、本発明に係る液晶装置の変形例１について説明する。本変形例１においては導光板に一部重ねられたフレキシブル基板がその液晶パネルの表示領域に略コの字状の切欠き部を有する点が第１の実施形態と異なるのでその点を中心に説明する。尚、第１の実施形態の構成要素と共通する構成要素については、第１の実施形態の構成要素と同一の符号を付しその説明を省略する。
【００７７】
図５は本発明の変形例１に係る液晶装置の概略部分底面図である。
【００７８】
液晶装置１０１は例えば図１に示すように液晶パネル２、その液晶パネル２に接続された可撓性基板としてのフレキシブル基板１０３、更に液晶パネル２に光を照射する照明装置４及び当該液晶パネル２と照明装置４とを保持するフレーム５を有する。ここで、液晶装置１０１にはフレーム５の他にもその他の付帯機構が必要に応じて付設される（図示しない）。
【００７９】
ここで、フレキシブル基板１０３は例えば図１に示すように第１の基板７に接続されたパネル側２５から反対側の他方側である照明装置側１２６に延在する途中で、折り返すように曲げられている。更に照明装置側１２６は、第１の基板７の液晶側と反対側に配置された導光板２９の第１の基板７に光を出射する側と反対側表面に延在するように形成されている。
【００８０】
例えば図５に示すようにフレキシブル基板１０３の照明装置側１２６は、導光板２９の反射側表面３７に平面的に重なる領域である延在領域Ｄ１を有している。そして、当該延在領域Ｄ１は第２の基板８の表示領域Ｂ（図５中）を避けるように照明装置側１２６の端部１３５から内側に切り込まれた略コの字状の切欠き部１４１を有しており、その延在領域Ｄ１の最外周の横幅（図５中のＸ軸方向）は導光板２９の横幅Ｅ（図５中のＸ軸方向Ｅ）と同じに形成されている。
【００８１】
更に切欠き部１４１は、例えば図５に示すように表示領域Ｂの一部であり、三方が延在領域Ｄ１により囲まれた領域に形成されている。
【００８２】
また、当該延在領域Ｄ１はベース基材２３の導光板側に接着部材としての両面接着テープ１２７が貼着されており、当該フレキシブル基板１０３が導光板２９に接着固定されている。
【００８３】
当該両面接着テープ１２７は、例えば導光板側が白色に着色されており、フレキシブル基板１０３が反射シートと導光板との間に挟まれていても、当該白色により光を反射するので、フレキシブル基板１０３の延在による影響を少なくさせることができる。勿論、光を反射できれば白色に限られるものでなく、例えば金属色であってもよい。
【００８４】
尚、フレキシブル基板１０３の延在領域Ｄ１の最外周の横幅（図５中のＸ軸方向）は導光板２９及び反射シート３３の横幅（図５中のＸ軸方向）と略同じ大きさに形成されているが、第１の実施形態と同様に反射シート等の横幅より小さいものとしてもよい。これにより、フレキシブル基板１０３からはみ出た反射シート３３の両側部分で直接導光板２９に貼着されるので、フレキシブル基板１０３を両側からしっかり導光板２９に押さえつけることができ、フレキシブル基板１０３の反発力による光源２８の位置ずれをより確実に防ぐことができる。
【００８５】
このように変形例１によれば、導光板２９の反射側表面３７に一部重ねられたフレキシブル基板１０３は、表示側の基板である第２の基板８の表示領域Ｂに重なる領域に、略コの字状の切欠き部１４１を有することとしたので、例えば導光板２９による液晶パネル２への光の供給が少ない該導光板２９の周囲部分に切欠き部１４１により残ったフレキシブル基板１０３を固定させ、当該切欠き部１４１を通過する光により液晶パネル２への光の入射をムラなくさせることができる。
【００８６】
また、フレキシブル基板１０３の照明装置側２６は、第２の基板８の表示領域Ｂを避けるように導光板２９の反対側表面に固定されているので、フレキシブル基板１０３を導光板２９に固定した際の表示品位への影響を確実に防ぐことができる。
【００８７】
（変形例２）
【００８８】
次に、本発明に係る液晶装置の変形例２について説明する。本変形例２においては導光板に一部重ねられたフレキシブル基板が、その導光板の反射側表面に平面的に重なる領域で複数の光源に夫々対応するように、櫛歯状の切欠き部を有する点が第１の実施形態と異なるのでその点を中心に説明する。尚、第１の実施形態の構成要素と共通する構成要素については、第１の実施形態の構成要素と同一の符号を付しその説明を省略する。
【００８９】
図６は本発明の変形例２に係る液晶装置の概略部分底面図である。
【００９０】
液晶装置２０１は例えば図１に示すように液晶パネル２、その液晶パネル２に接続された可撓性基板としてのフレキシブル基板２０３、更に液晶パネル２に光を照射する照明装置４及び当該液晶パネル２と照明装置４とを保持するフレーム５を有する。ここで、液晶装置２０１にはフレーム５の他にもその他の付帯機構が必要に応じて付設される（図示しない）。
【００９１】
ここで、フレキシブル基板２０３は例えば図１に示すように第１の基板７に接続されたパネル側２５から反対側の他方側である照明装置側２２６に延在する途中で、折り返すように曲げられている。更に照明装置側２２６は、第１の基板７の液晶側と反対側に配置された導光板２９の第１の基板７に光を出射する側と反対側表面としての反射側表面３７に延在するように形成されている。
【００９２】
例えば図６に示すようにフレキシブル基板２０３の照明装置側２２６は、導光板２９の反射側表面３７に平面的に重なる延在領域Ｄ２を有している。
【００９３】
また、フレキシブル基板２０３の照明装置側２２６は、例えば図６に示すように当該延在領域Ｄ２に挟まれ、第２の基板８の表示領域Ｂ（図６中）を避けるように照明装置側２２６の端部２３５から内側に櫛歯状に切り込まれた切欠き部２４１が形成されており、その延在領域Ｄ２の最外周の横幅（図６中のＸ軸方向）は導光板２９の横幅Ｅ（図６中のＸ軸方向Ｅ）と同じに形成されている。
【００９４】
切欠き部２４１は、例えば図６に示すように導光板２９の反射側表面３７に平面的に重なる領域で例えば３つの光源２８に夫々対応するように櫛歯状に形成されており、延在領域Ｄ２に挟まれた開放領域である。
【００９５】
また、当該延在領域Ｄ２はベース基材２３の導光板側に図示しない接着部材としての両面接着テープ２２７が貼着されており、当該フレキシブル基板２０３が導光板２９に接着固定されている。
【００９６】
当該両面接着テープ２２７は、例えば導光板側が白色に着色されており、フレキシブル基板２０３が反射シートと導光板との間に挟まれていても、当該白色により光を反射するので、フレキシブル基板２０３の延在による影響を少なくさせることができる。勿論、光を反射できれば白色に限られるものでなく、例えば金属色であってもよい。
【００９７】
尚、フレキシブル基板２０３の延在領域Ｄ２の最外周の横幅（図６中のＸ軸方向）は導光板２９及び反射シート３３の横幅（図６中のＸ軸方向）と略同じ大きさに形成されているが、第１の実施形態と同様に反射シート等の横幅より小さいものとしてもよい。これにより、フレキシブル基板２０３からはみ出た反射シート３３の両側部分が直接導光板２９に貼着されるので、フレキシブル基板２０３を両側からしっかり導光板２９に押さえつけることができ、フレキシブル基板２０３の反発力による光源２８の位置ずれをより確実に防ぐことができる。
【００９８】
また、光が導光板２９の光源側で十分に広がらない部分であれば、延在領域Ｄ２が第２の基板８の表示領域Ｂと重なる領域にまで延在していても良い。
【００９９】
このように変形例２によれば、反射側表面３７に固定されたフレキシブル基板２０３は、該反射側表面３７に平面的に重なる領域で複数の光源２８に夫々対応するように、櫛歯状の切欠き部２４１を有することとしたので、該切欠き部２４１の反射シート３３により導光板２９の光源側で十分に広がらない光を確実に反射させることができ、フレキシブル基板２０３を反射シート３３で上から導光板２９に固定した際の、フレキシブル基板２０３による表示品位への影響をより少なくすることができる。
【０１００】
更に導光板２９の光源側で光が十分に広がらない部分を利用して、切欠き部２４１により残ったフレキシブル基板２０３をその導光板２９に固定することができ、フレキシブル基板２０３を反射シート３３で上から導光板２９に固定した際の、フレキシブル基板２０３による表示品位への影響をより少なくすることができる。
【０１０１】
また、フレキシブル基板２０３の照明装置側２２６は、第２の基板８の表示領域Ｂを避けるように導光板２９の反射側表面３７に固定されているので、フレキシブル基板２０３を導光板２９に固定した際の表示品位への影響を確実に防ぐことができる。
【０１０２】
（変形例３）
【０１０３】
次に、本発明に係る液晶装置の変形例３について説明する。本変形例３においては櫛歯形状の複数の歯のうち、両最外側の二つの歯が当該最外側の二つの歯に挟まれる歯よりその照明装置側方向に延在されている点が変形例２と異なるのでその点を中心に説明する。尚、第１の実施形態の構成要素と共通する構成要素については、第１の実施形態の構成要素と同一の符号を付しその説明を省略する。
【０１０４】
図７は本発明の変形例３に係る液晶装置の概略部分底面図である。
【０１０５】
液晶装置４０１は例えば図１に示すように液晶パネル２、その液晶パネル２に接続された可撓性基板としてのフレキシブル基板４０３、更に液晶パネル２に光を照射する照明装置４及び当該液晶パネル２と照明装置４とを保持するフレーム５を有する。ここで、液晶装置４０１にはフレーム５の他にもその他の付帯機構が必要に応じて付設される（図示しない）。
【０１０６】
ここで、フレキシブル基板４０３は例えば図１及び図７に示すように第１の基板７に接続されたパネル側２５から反対側の他方側である照明装置側４２６に延在する途中で、折り返すように曲げられている。更に照明装置側４２６は、第１の基板７の液晶側と反対側に配置された導光板２９の第１の基板７に光を出射する側と反対側表面としての反射側表面３７に延在するように形成されている。
【０１０７】
例えば図７に示すようにフレキシブル基板４０３の照明装置側４２６は、導光板２９の反射側表面３７に平面的に重なる領域である延在領域Ｄ４を有している。
【０１０８】
また、フレキシブル基板４０３の照明装置側４２６は、例えば図７に示すように当該延在領域Ｄ４に挟まれ、第２の基板８の表示領域Ｂ（図７中）を避けるように照明装置側４２６の端部４３５ａ，４３５ｂから内側に夫々櫛歯状に切り込まれた切欠き部４４１を有しており、その延在領域Ｄ４の最外周の横幅（図７中のＸ軸方向）は導光板２９の横幅Ｅ（図７中のＸ軸方向Ｅ）と同じに形成されている。
【０１０９】
更に切欠き部４４１は、例えば図７に示すように導光板２９の反射側表面３７に平面的に重なる領域で例えば３つの光源２８に夫々対応するように櫛歯状に形成されており、後述する櫛歯形状の延在領域Ｄ４である歯に挟まれた開放領域である。
【０１１０】
また、フレキシブル基板４０３は導光板２９の反射側表面３７に平面的に重なる領域で例えば３つの光源２８の間の部分に対応する櫛歯形状を有しており、該櫛歯形状の延在領域Ｄ４は例えば図７に示すように当該切欠き部４４１に隣接して形成されるＸ軸方向に並んだ４つの歯４４２ａ，４４２ｂを有している。
【０１１１】
その4つの歯は、例えば図７に示すように両最外側の二つの歯４４２ａが，当該最外側の二つの歯４４２ａに挟まれる歯４４２ｂよりその照明装置側方向に延在されており、最外側の歯４４２ａの端部４４０ａは挟まれた歯４４２ｂの端部４４０ｂより図７中のＧだけＹ軸方向（図７中）に長く形成されている。
【０１１２】
また、当該延在領域Ｄ４はベース基材２３の導光板側に図示しない接着部材としての両面接着テープ４２７が貼着されており、当該フレキシブル基板４０３が導光板２９に接着固定されている。
【０１１３】
当該両面接着テープ４２７は、例えば導光板側が白色に着色されており、フレキシブル基板４０３が反射シート３３と導光板２９との間に挟まれていても、当該白色により光を反射するので、フレキシブル基板４０３の延在による影響を少なくさせることができる。勿論、光を反射できれば白色に限られるものでなく、例えば金属色であってもよい。
【０１１４】
尚、フレキシブル基板４０３の延在領域Ｄ４の最外周の横幅（図７中のＸ軸方向）は導光板２９及び反射シート３３の横幅（図７中のＸ軸方向）と略同じ大きさに形成されているが、第１の実施形態と同様に反射シート等の横幅より小さいものとしてもよい。これにより、フレキシブル基板４０３からはみ出た反射シート３３の両側部分が直接導光板２９に貼着されるので、フレキシブル基板４０３を両側からしっかり導光板２９に押さえつけることができ、フレキシブル基板４０３の反発力による光源２８の位置ずれをより確実に防ぐことができる。
【０１１５】
また、光が導光板２９の光源側で十分に広がらない部分であれば、延在領域Ｄ４が第２の基板８の表示領域Ｂと重なる領域にまで延在していても良い。
【０１１６】
このように変形例３によれば、櫛歯形状のフレキシブル基板４０３の他方側としての照明装置側４２６は、導光板２９の反射側表面３７に平面的に重なる領域で３つの光源２８の間の部分に対応する櫛歯形状を有しており、該櫛歯形状の延在領域Ｄ４は例えば図７に示すように切欠き部４４１に隣接して形成されるＸ軸方向に並んだ４つの歯４４２ａ，４４２ｂを有し、該複数の歯４４２ａ，４４２ｂは、その並設された複数の歯のうち両最外側の二つの歯４４２ａが該最外側の二つの歯４４２ａに挟まれる歯４４２ｂより照明装置側方向に延在されていることとしたので、光が導光板２９の光源側で十分に広がらない部分及び導光板２９による液晶パネル２への光の照射が少ない該導光板２９の周囲部分を利用してフレキシブル基板４０３をその導光板２９に固定することができ、フレキシブル基板４０３を導光板２９に固定した際の表示品位への影響をより少なくすることができる。
【０１１７】
また、フレキシブル基板４０３の照明装置側４２６は、第２の基板８の表示領域Ｂを避けるように導光板２９の反射側表面３７に固定されているので、フレキシブル基板４０３を導光板２９に固定した際の表示品位への影響を確実に防ぐことができる。
【０１１８】
（変形例４）
【０１１９】
次に、本発明に係る液晶装置の変形例４について説明する。本変形例４においてはフレキシブル基板が導光板に接着されていない点が第１の実施形態と異なるのでその点を中心に説明する。尚、第１の実施形態の構成要素と共通する構成要素については、第１の実施形態の構成要素と同一の符号を付しその説明を省略する。
【０１２０】
図８は本発明の変形例４に係る液晶装置の概略分解斜視図である。
【０１２１】
液晶装置５０１は、例えば図１に示すように液晶パネル２、その液晶パネル２に接続された可撓性基板としてのフレキシブル基板５０３、更に液晶パネル２に光を照射する照明装置４及び当該液晶パネル２と照明装置４とを保持するフレーム５を有する。尚、液晶装置５０１にはフレーム５の他にもその他の付帯機構が必要に応じて付設される（図示しない）。
【０１２２】
ここで、フレキシブル基板５０３は例えば図１に示すように第１の基板７に接続されたパネル側２５から反対側の他方側である照明装置側２６に延在する途中で、折り返すように曲げられている。更に照明装置側２６は、第１の基板７の液晶側と反対側に配置された導光板２９の第１の基板７に光を出射する側と反対側表面としての反射側表面３７に延在するように形成されている。
【０１２３】
例えば図３に示すようにフレキシブル基板５０３の照明装置側２６は、導光板２９の反射側表面３７に平面的に重なる領域である延在領域Ｄ（図３中の斜線領域）を有しており、光源２８が配置されたところから当該照明装置側２６の端部３５まで、すなわち図３中のＣの長さ分だけ反射側表面３７に延在して配置されている。
【０１２４】
また、フレキシブル基板５０３は例えば図８に示すように導光板２９の表面に延在する延在領域Ｄ（図８中の斜線領域）で、そのベース基材２３の導光板側に両面接着テープ２７が貼着されておらず、導光板２９の反射側表面上に直接配置されている。
【０１２５】
更にフレキシブル基板５０３は、反射側表面３７に延在し重なる領域である延在領域Ｄ（図８中の斜線領域）が導光板２９からの光を反射できるように、反射する膜として例えば白色に着色されており、フレキシブル基板５０３が反射シート３３と導光板２９との間に挟まれていても、フレキシブル基板５０３の延在による影響を少なくさせることができる。勿論、光を反射できれば白色に限られるものでなく、例えば金属色であってもよい。具体的には白色の着色膜や金属反射膜等が形成されてもよい。
【０１２６】
このように変形例４によれば、フレキシブル基板５０３は、反射シート３３により保持されており導光板２９の反射側表面３７に接着されていないので、フレキシブル基板５０３に接着性を持たせなくても済み、例えば反射シート３３を導光板２９に位置決めして貼着しながら、当該フレキシブル基板５０３を差し込むことが可能となり製造工程の削減や製造コストの低減を図ることが可能となる。
【０１２７】
また、フレキシブル基板５０３は少なくとも第２の基板８の表示領域Ｂに重なる領域が光を反射する膜が形成されていることとしたので、例えば反射シート３３と導光板２９との間にフレキシブル基板５０３が挟まれても、フレキシブル基板５０３は少なくとも表示領域Ｂに重なる領域が光を反射でき、フレキシブル基板５０３による輝度ムラ等が生じることを防ぐことができる。即ち、フレキシブル基板や両面接着テープの光を反射できない領域と表示領域Ｂとが重なる領域において、光が反射されないで出射光の光量が当該領域において低下してしまい、そこだけが暗くなってしまうということが生じないので、輝度ムラが生じることを防ぐことが可能となる。
【０１２８】
（変形例５）
【０１２９】
次に、本発明に係る液晶装置の変形例５について説明する。本変形例５においては光学部材としての反射シートが、導光板の反射側表面よりフレキシブル基板の折り曲げ位置に近いフレームにも接着固定されている点が第１の実施形態と異なるのでその点を中心に説明する。尚、第１の実施形態の構成要素と共通する構成要素については、第１の実施形態の構成要素と同一の符号を付しその説明を省略する。
【０１３０】
図９は本発明の変形例５に係る液晶装置の概略斜視図、図１０は図９におけるＨ−Ｈ線断面図及び図１１は液晶装置の概略底面図である。
【０１３１】
液晶装置６０１は、例えば図９に示すように液晶パネル２、その液晶パネル２に接続された可撓性基板としてのフレキシブル基板３、更に液晶パネル２に光を照射する照明装置６０４及び当該液晶パネル２と照明装置６０４とを保持するフレーム６０５を有する。ここで、液晶装置６０１にはフレーム６０５の他にもその他の付帯機構が必要に応じて付設される（図示しない）。
【０１３２】
ここで、フレキシブル基板３は例えば図９及び図１０に示すように第１の基板７に接続されたパネル側２５から反対側の他方側である照明装置側２６に延在する途中で、折り返すように曲げられている。更に照明装置側２６は、後述するフレーム６０５の固定部６５５の下方を潜るように回り込み、第１の基板７の液晶側と反対側に配置された導光板２９の第１の基板７に光を出射する側と反対側表面としての反射側表面３７に延在するように形成されている。
【０１３３】
次に、照明装置６０４の反射シート６３３は、例えば拡散反射率の高い顔料、白色等をブレンドしたプラスチックフイルムであり図１０及び図１１に示すように導光板２９と略同じ横幅（図１１中のＸ軸方向）であり、長さ（図１０中のＹ軸方向）は導光板２９より長く、略第１の基板７の張出し部１８の長さ分だけ長く形成されている。
【０１３４】
更に反射シート６３３は、例えば図１０及び図１１に示すように導光板２９の反射側表面３７に両面接着テープ３８により貼着されており、その両面接着テープ３８と導光板２９の間には、図１１中の斜線領域である延在領域Ｄだけ内側にフレキシブル基板３が挟み込まれている。
【０１３５】
また、反射シート６３３は、例えば図１１に示すように導光板２９の反射側表面３７の端からＩだけ張り出して形成されており、その張り出した領域がフレキシブル基板３の両側からはみ出した後述するフレーム６０５の固定部６５５の一部（図１１の細かい斜線領域Ｊ）にも重なるようになっている。
【０１３６】
これにより、反射シート６３３はフレキシブル基板３からはみ出たフレーム６０５の固定部６５５に貼着されるので、フレキシブル基板３を導光板２９の反射側表面３７より曲りに近いところで両側からしっかりフレーム６０５に押さえつけることができ、フレキシブル基板３の反発力による光源２８の位置ずれをより確実に防ぐことができる。
【０１３７】
ここで、はみ出した領域Ｊを含め固定部６５５に対応し、反射シート６３３の固定部側に貼着する両面接着テープ６５６は両面接着テープ３８と異なり導光板２９の反射側表面上にはないので特に白色に着色する必要はない。
【０１３８】
次に、フレーム６０５は例えば図９に示すように図中のＸ軸方向で互いに対面する側壁を有し、その側壁に挟まれるように第１の基板７の張出し部１８の液晶と反対側に固定部６５５が設けられている。
【０１３９】
また、固定部６５５は例えば図１０に示すように断面形状が略矩形状であり、丁度フレキシブル基板３の折曲りの位置に当該固定部６５５の図１０で右側面が対応し、下側面が折れ曲がった直後のフレキシブル基板３に対応している。
【０１４０】
更に固定部６５５は、例えば図１０に示すように光源２８を導光板２９とで挟み込むことができるような位置に形成されているので、光源２８のフレキシブル基板３の曲がりに対する反発力による光源２８の位置ずれを更に防ぐことができる。
【０１４１】
このように変形例５によれば、反射シート６３３が導光板２９の反射側表面３７よりフレキシブル基板３が折り曲げられた位置に近いフレーム６０５の固定部６５５にも接着されているので、反射シート６３３を接着する面積が増加し、フレキシブル基板３の反発力による導光板表面からの浮き上がりを押さえる力を増加させることが可能となる。
【０１４２】
また、フレキシブル基板３の折曲り部分により近いところでフレーム６０５の固定部６５５に固定できるので、より確実にフレキシブル基板３の反発力による導光板表面からの浮き上がりを押さえることができる。
【０１４３】
（第２の実施形態・電子機器）
【０１４４】
次に、上述した液晶装置１，１０１，２０１，４０１，５０１，６０１を備えた本発明の第２の実施形態に係る電子機器について説明する。尚、第１の実施形態の構成要素と共通する構成要素については、第１の実施形態の構成要素と同一の符号を付しその説明を省略する。
【０１４５】
図１２は本発明の第２の実施形態に係る電子機器の表示制御系の全体構成を示す概略構成図である。
【０１４６】
電子機器３００は、表示制御系として例えば図１２に示すように液晶パネル２及び表示制御回路３９０などを備え、その表示制御回路３９０は表示情報出力源３９１、表示情報処理回路３９２、電源回路３９３及びタイミングジェネレータ３９４などを有する。
【０１４７】
また、液晶パネル２には表示領域Ｌを駆動する駆動回路３６１を有する。
【０１４８】
表示情報出力源３９１は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などからなるメモリと、磁気記録ディスクや光記録ディスクなどからなるストレージユニットと、デジタル画像信号を同調出力する同調回路とを備えている。更に表示情報出力源３９１は、タイミングジェネレータ３９４によって生成された各種のクロック信号に基づいて、所定フォーマットの画像信号などの形で表示情報を表示情報処理回路３９２に供給するように構成されている。
【０１４９】
また、表示情報処理回路３９２はシリアル−パラレル変換回路、増幅・反転回路、ローテーション回路、ガンマ補正回路、クランプ回路などの周知の各種回路を備え、入力した表示情報の処理を実行して、その画像情報をクロック信号ＣＬＫと共に駆動回路３６１へ供給する。また、電源回路３９３は、上述した各構成要素に夫々所定の電圧を供給する。
【０１５０】
このように本実施形態によれば、電子機器３００に用いられる液晶装置１で張出し部１８に接続されたフレキシブル基板３が、導光板２９の受光面に対面するように光源２８が配置されると共に該導光板２９の光を出射する側と反対側の表面である反射側表面３７に重なるように折り曲げられており、該フレキシブル基板３を介して反射側表面３７と対向して、当該導光板２９に反射シート３３を接着することとしたので、当該反射シート３３が例えばフレキシブル基板３を上から導光板２９に押さえ込むことが可能となり、フレキシブル基板３の反発力による導光板表面からの浮き上がりを防止することができる。その結果、導光板２９の受光面と光源２８との位置合わせがずれてしまい正確に導光板２９に光が入射しなくなることもなく、輝度ムラ等の発生を抑えることができる。
【０１５１】
特に最近の電子機器にあっては、より高精度化・高機能化された電子機器であることが要求されており、係る表示品位の高い電子機器を提供する本発明の意義は大きいといえる。
【０１５２】
具体的な電子機器としては、携帯電話機やパーソナルコンピュータなどの他に液晶表示装置が搭載されたタッチパネル、プロジェクタ、液晶テレビやビューファインダ型、モニタ直視型のビデオテープレコーダ、カーナビゲーション、ページャ、電子手帳、電卓、ワードプロセッサ、ワークステーション、テレビ電話、ＰＯＳ端末等が挙げられる。そして、これらの各種電子機器の表示部として、上述した例えば液晶装置１，１０１，２０１，４０１，５０１，６０１が適用可能なのは言うまでもない。
【０１５３】
なお、本発明の電気光学装置及び電子機器は、上述した例に限定されるものではなく、本発明の要旨を逸脱しない範囲において種々変更を加え得ることは勿論である。また、本発明の要旨を逸脱しない範囲において、上述した各実施形態や変形例を組み合わせても良い。
【０１５４】
以上、好ましい実施形態を上げて本発明を説明したが、本発明は上述したいずれの実施形態にも限定されず、本発明の技術思想の範囲内で適宜変更して実施できる。
【０１５５】
例えば、上述の実施形態及び変形例では薄膜ダイオード素子アクティブマトリクス型の液晶装置について説明したがこれに限られるものではなく、例えば、電気泳動表示装置や、薄膜トランジスタ素子アクティブマトリクス型やパッシブマトリクス型の液晶装置であってもよい。更には反射半透過型に限らず例えば反射型や透過型であってもよい。これにより、多種多様な液晶装置についても、より容易に導光板等からの可撓性基板の浮き上がりを防止し、より表示品位を向上させることができる。
【０１５６】
また、上述の実施形態及び変形例では、液晶駆動用ＩＣの実装をＣＯＧ（Ｃｈｉｐ  Ｏｎ  Ｇｌａｓｓ）として説明したがこれに限られるものではなく、例えばフレキシブル基板３に実装するＣＯＦ（Ｃｈｉｐ  Ｏｎ  Ｆｉｌｍ）であってもよい。これにより、多種多様な液晶装置についても、より容易に導光板等からの可撓性基板の浮き上がりを防止し、より表示品位を向上させることができる。
【０１５７】
更に上述の変形例では、切欠き部に隣接し、または切欠き部に挟まれる部分のフレキシブル基板は表示領域Ｂを避けて配置することとして説明したがこれに限られるものではなく、例えば少なくとも表示領域Ｂに重なる領域でのフレキシブル基板や両面接着テープ等の導光板側の面に白色の着色膜や金属族反射膜を設ければ切欠き部に隣接し、または切欠き部に挟まれる部分のフレキシブル基板が表示領域Ｂに配置されてもよい。これにより、多種多様な液晶装置についても、より容易に導光板等からの可撓性基板の浮き上がりを防止し、より表示品位を向上させることができる。
【図面の簡単な説明】
【０１５８】
【図１】第１の実施形態に係る液晶装置の概略斜視図である。
【図２】図１におけるＡ−Ａ線断面図である。
【図３】第１の実施形態に係る液晶装置の概略部分底面図である。
【図４】第１の実施形態に係る液晶装置の概略分解斜視図である。
【図５】変形例１に係る液晶装置の概略部分底面図である。
【図６】変形例２に係る液晶装置の概略部分底面図である。
【図７】変形例３に係る液晶装置の概略部分底面図である。
【図８】変形例４に係る液晶装置の概略分解斜視図である。
【図９】変形例５に係る液晶装置の概略斜視図である。
【図１０】図９におけるＨ−Ｈ線断面図である。
【図１１】変形例５に係る液晶装置の概略底面図である。
【図１２】第２の実施形態に係る電子機器の表示制御系の概略構成図である。
【符号の説明】
【０１５９】
１，１０１，２０１，４０１，５０１，６０１  液晶装置、  ２  液晶パネル、  ３，１０３，２０３，４０３，５０３  フレキシブル基板、  ４，６０４  照明装置、  ５，６０５  フレーム、  ６  シール材、  ７  第１の基板、  ８  第２の基板、  ９  液晶、  １０  走査電極、  １１，１６  配向膜、  １２，１７  偏光板、  １３  画素電極、  １４  信号電極、  １５  ＴＦＤ、  １８  張出し部、  １９  走査電極用配線、  ２０  信号電極用配線、  ２１  液晶駆動用ＩＣ、  ２２  外部用端子、  ２３  ベース基材、  ２４  配線パターン、  ２５  パネル側、  ２６  照明装置側、  ２７，３８，１２７，２２７，６５６  両面接着テープ、  ２８  光源、  ２９  導光板、  ３０，３１  プリズムシート、  ３２  拡散シート、  ３３  反射シート、  ３４  遮光シート、  ３５，１３５，２３５、４３５ａ，４３５ｂ  端部、  ３６  受光面、  ３７  反射側表面、  ３００  電子機器、  ３６１  駆動回路、  ３９０  表示制御回路
【図１】
2006227466.tif 000003
【図２】
2006227466.tif 000004
【図３】
2006227466.tif 000005
【図４】
2006227466.tif 000006
【図５】
2006227466.tif 000007
【図６】
2006227466.tif 000008
【図７】
2006227466.tif 000009
【図８】
2006227466.tif 000010
【図９】
2006227466.tif 000011
【図１０】
2006227466.tif 000012
【図１１】
2006227466.tif 000013
【図１２】
2006227466.tif 000014